(57)【特許請求の範囲】
【請求項１】
略水平なカウンタ部の後縁部から上方に向けてバックガードを突出したカウンタのうち、カウンタ部は、上面を構成するカウンタ面部と、側端面を構成するカウンタ端面部を有し、バックガードは、カウンタ面部の後縁から立ち上げた縦片部と、縦片部の上縁から後方に突出した横片部と、これら縦片部及び横片部からなる逆Ｌ字状部の側端部に設けた側端面を構成するバックガード端面部で構成され、バックガード端部パッドは、側方及び前方に開口する嵌込凹所と、該嵌込凹所の後側内面から前方に向けて突出する係止部を備え、該バックガード端部パッドの嵌込凹所にカウンタ端面部の後端部及びバックガード端面部を嵌め込み、該バックガード端部パッドの係止部をバックガード端面部の内側面に係止することを特徴とするカウンタへのバックガード端部パッドの取付構造。
【請求項２】
前記嵌込凹所をバックガード端部パッドの一側面に形成した凹部と、凹部の底部に形成した奥溝とで構成し、奥溝をバックガード端部パッドの前面から後方に伸びる横溝部と横溝部の後端部から上方に伸びる縦溝部とからなる側面視Ｌ字状の溝とし、凹部の後側内面から前記係止部を突出し、奥溝にカウンタ端面部の後端部とバックガード端面部を嵌め込み、奥溝の底面にカウンタ端面部の外側面及びバックガード端面部の外側面を当接するものであって、前記凹部はカウンタの逆Ｌ字状部を収納する収納部を備えると共に、該収納部の前側はバックガード通過用空所を介してバックガード端部パッドの前面に開口していることを特徴とする請求項１に記載のカウンタへのバックガード端部パッドの取付構造。
【発明の詳細な説明】
【技術分野】
【０００１】
本発明はシステムキッチンの天板等を構成するカウンタの搬送時等において取付けられるバックガード端部パッドの取付構造に関するものである。
【背景技術】
【０００２】
従来からシステムキッチン等の天板として利用されるカウンタを搬送する時には、特許文献１のようにカウンタの外周縁に緩衝材として段ボール等からなる各種パッドを取付け、これらパッドによりカウンタを保護する。
【０００３】
ところでカウンタには平坦なカウンタ部から後方に水が流れ出ないようにその後端縁部に全長に亘ってバックガードを立ち上げたものがあり、このようにカウンタ部から上方に突出したバックガードは搬送時に壁や地面等に当たって破損しやすい。従って特許文献１ではカウンタの側方からカウンタの側縁に側縁パッドを被せ、該パッドによりカウンタの側縁と共にカウンタの後角部を構成するバックガードの側端部を保護している。
【０００４】
しかしこの側縁パッドはカウンタにバンドによって取付けているだけで、カウンタやバックガードに係止しておらず、このためバンドを外して施工前に壁等にカウンタを立てかけるなどした際に、側縁パッドがカウンタやバックガードから外れやすく、カウンタを傷つける恐れがある。また例えばバックガードはカウンタ部から一体に立ち上げた縦片部で構成されるのだが、このものにおいては縦片部の厚みが薄い場合はバックガードが薄く安価に見えてしまうし、また縦片部を厚くした場合は材料コストが高くなってしまう。
【特許文献１】特開２００４−１０６９２６号公報
【発明の開示】
【発明が解決しようとする課題】
【０００５】
本発明は上記従来の問題点に鑑みて発明したものであって、カウンタのバックガードを外観上は厚みがあるように見せて、カウンタの材料コストをおさえながらカウンタの商品価値を高めることができ、またこのバックガードに取付けられるバックガード端部パッドが外側に外れることを防止できるカウンタへのバックガード端部パッドの取付構造を提供する。
【課題を解決するための手段】
【０００６】
上記課題を解決するために本発明に係るカウンタへのバックガード端部パッドの取付構造では、略水平なカウンタ部２の後縁部から上方に向けてバックガード３を突出したカウンタ１のうち、カウンタ部２は、上面を構成するカウンタ面部５と、側端面を構成するカウンタ端面部１５を有し、バックガード３は、カウンタ面部５の後縁から立ち上げた縦片部８と、縦片部８の上縁から後方に突出した横片部９と、これら縦片部８及び横片部９からなる逆Ｌ字状部１０の側端部に設けた側端面を構成するバックガード端面部１８で構成され、バックガード端部パッド２４は、側方及び前方に開口する嵌込凹所２８と、該嵌込凹所２８の後側内面から前方に向けて突出する係止部３１を備え、該バックガード端部パッド２４の嵌込凹所２８にカウンタ端面部１５の後端部及びバックガード端面部１８を嵌め込み、該バックガード端部パッド２４の係止部３１をバックガード端面部１８の内側面に係止することを特徴とする。
【０００７】
上記カウンタ１のバックガード３は縦片部８と、横片部９と、バックガード端面部１８で構成されるので、バックガード３を構成する縦片部８や横片部９の厚みをそれ程厚くすることなく厚みの厚いバックガード３を形成できる。またバックガード端部パッド２４の係止部３１をバックガード３の側端面を構成するバックガード端面部１８の内側面に係止したので、バックガード３の側端部に取付けたバックガード端部パッド２４が外側に外れることを防止できる。
【０００８】
また前記嵌込凹所２８をバックガード端部パッド２４の一側面に形成した凹部２９と、凹部２９の底部に形成した奥溝３０とで構成し、奥溝３０をバックガード端部パッド２４の前面から後方に伸びる横溝部３６と横溝部３６の後端部から上方に伸びる縦溝部３７とからなる側面視Ｌ字状の溝とし、凹部２９の後側内面から前記係止部３１を突出し、奥溝３０にカウンタ端面部１５の後端部とバックガード端面部１８を嵌め込み、奥溝３０の底面にカウンタ端面部１５の外側面及びバックガード端面部１８の外側面を当接するものであって、前記凹部２９はカウンタ１の逆Ｌ字状部１０を収納する収納部３４を備えると共に、該収納部３４の前側はバックガード通過用空所３５を介してバックガード端部パッド２４の前面に開口していることも好ましい。
【０００９】
側面視Ｌ字状の奥溝３０にカウンタ端面部１５の後端部とバックガード端面部１８からなるＬ字状の部分を嵌め込み、且つ係止部３１をバックガード端面部１８の内側面に係止すると共に奥溝３０の底面にカウンタ端面部１５の外側面及びバックガード端面部１８の外側面を当接するので、バックガード３の側端部にバックガード端部パッド２４をより確実に取付けることができる。さらにバックガード端部パッド２４をバックガード３の側端部に嵌め込む場合、バックガード３はバックガード通過用空所３５を通過して収納部３４に移動でき、バックガード端部パッド２４の取付けが容易になる。
【発明の効果】
【００１０】
請求項１に係る発明では、カウンタのバックガードを外観上は厚みがあるように見せることができ、材料コストをおさえながらカウンタの商品価値を高めることができる。またこのバックガードの端面部を利用してバックガード端部パッドが外側に外れることを防止できる。
【００１１】
また請求項２に係る発明では、請求項１に係る発明の効果に加えて、バックガードの側端部にバックガード端部パッドをより確実に取付けることができ、またバックガード端部パッドをバックガードの側端部に容易に嵌め込むことができる。
【発明を実施するための最良の形態】
【００１２】
以下、本発明を添付図面に示す実施形態に基づいて説明する。図１や図６に示す本実施形態のカウンタ１はキャビネット等を備えた図示しないシステムキッチン本体の上に設けることでシステムキッチンの天板として利用されるものであり、該カウンタ１は略水平板状のカウンタ部２の後縁部からカウンタ部２上の水が後方に流れ出ることを防止するバックガード３を上方に向けて突出している。
【００１３】
カウンタ１はアクリル系樹脂等の合成樹脂を主体とする人造大理石製のカウンタ本体４で主体を構成してあり、該カウンタ本体４は注型成形等で形成される。カウンタ本体４は図６等に示すように長尺板状のカウンタ面部５を備え、カウンタ面部５にはシンク７やコンロが取付けられるコンロ用孔６を設けている。図１１に示すようにカウンタ面部５の後縁からは縦片部８を一体に垂直に立ち上げてあり、該縦片部８の上縁からは後方に向けて横片部９を一体に突出している。縦片部８及び横片部９はカウンタ本体４の長手方向の全長に亘り、これら縦片部８と横片部９で側面視逆Ｌ字状の逆Ｌ字状部１０を構成している。カウンタ面部５の前縁からは下方に向けて垂下片部１１を突出している。なおカウンタ本体４の垂下片部１１、カウンタ面部５、縦片部８、横片部９は略均一の厚みで成形され、成形時に成形品の冷却時間に差が生じないようにしている。
【００１４】
カウンタ本体４のカウンタ面部５の下面には長尺板状の木材からなる補強材１２を複数枚取付けてあり、これら補強材１２の端面はカウンタ本体４の側端面と面一となっている。これら補強材１２のうちカウンタ面部５の後側に取付けた補強材１２ａの後端部は縦片部８よりも後方に突出している。なお垂下片部１１は各補強材１２よりも下方に突出している。
【００１５】
上記カウンタ本体４の両側の端面には化粧板として図７に示すようにカウンタ１の側端面を構成する側面視Ｌ字状の側板１３を貼着等して取付けている。このＬ字状の各側板１３の横辺部分を構成する略長方形状のカウンタ端面構成部１４はその上下寸法が垂下片部１１の上下寸法（つまりカウンタ本体４の縦片部８よりも前方部分の上下寸法）と略同じであり、また前後寸法がカウンタ本体４の前後寸法と略同じであり、該カウンタ端面構成部１４でカウンタ本体４の垂下片部１１及びカウンタ面部５と、各補強材１２を覆っている。そしてこれら各側板１３のカウンタ端面構成部１４と、カウンタ本体４の垂下片部１１とカウンタ面部５でカウンタ部２を構成している。以下、カウンタ部２の側端面を構成するカウンタ端面構成部１４をカウンタ端面部１５と記載する。なお上記各側板１３は各補強材１２の端面にも接着して良いものとする。
【００１６】
また各側板１３においてカウンタ端面部１５の後端部から上方に向けて突出した部分（即ちＬ字状の側板１３の縦辺部分）である矩形状のバックガード端面構成部１６は逆Ｌ字状部１０の上下寸法（即ち縦片部８の上下寸法）と略同じであり、また前後寸法が逆Ｌ字状部１０の前後寸法（即ち横片部９の前後寸法）と略同じであり、該バックガード端面構成部１６で逆Ｌ字状部１０を覆っている。同時に各側板１３のバックガード端面構成部１６は縦片部８の後方で且つ横片部９の下方に形成された空所１７の側方を覆い、このようにカウンタ１の両側に設けた各側板１３のバックガード端面構成部１６と逆Ｌ字状部１０で後方に開口する空所１７を備えた中空のバックガード３を形成してあり、即ち本例では縦片部８及び横片部９でバックガード３の前面及び上面の夫々を構成し、且つ各側板１３のバックガード端面構成部１６でバックガード３の側端面を構成している。なお以下ではバックガード端面構成部１６をバックガード端面部１８と記載する。このようにカウンタ１は、バックガード３をカウンタ部２の後縁から立ち上げた縦片部８と、縦片部８の上縁から後方に突出した横片部９と、両側端面を構成するバックガード端面部１８とで構成したので、バックガード３の縦片部８や横片部９の厚みをそれ程厚くすることなく、外観上厚みの厚いバックガードを形成でき、材料コストをおさえながらカウンタ１の商品価値を高めることができる。
【００１７】
搬送時等においてカウンタ１に取付けられるパッドとしては、図１に示すようにカウンタ１の上面を保護するシート状の上面パッド１９、カウンタ１の前縁部を保護する長尺な前縁パッド２０、カウンタ１の後縁部の両端部を除く部分を保護する長尺な後縁パッド２１、カウンタ１の両側の縁部を保護する側縁パッド２２、カウンタ１の後縁部の両側の端部、即ちバックガード３の両側の端部を保護するバックガード端部パッド２４等が用いられ、これら各種パッド１９〜２２、２４は衝撃を受けた時に緩衝可能な段ボールや紙管等で形成される。なお図１の一点鎖線で示す２７はこの梱包時にカウンタ１に被せられるポリエチレンシート等からなる保護シートである。そして図８に示すように上記各種パッド１９〜２２、２４をカウンタ１に当てると共にシンク７に箱状のシンクカバー２５を被せ、バンド２６で結束することでカウンタ１は梱包される。
【００１８】
ここでバックガード３の端部を保護するバックガード端部パッド２４としては、カウンタ１を前方から見た場合にバックガード３の左側の端部に取付けられる左用と、右側の端部に取付けられる右用があり、左用と右用は左右対称である。
【００１９】
図９に示すように各バックガード端部パッド２４は側縁パッド２２の内側に嵌め込み可能な略ブロック状をし、該バックガード端部パッド２４には側方及び前方に開口する嵌込凹所２８を形成している。嵌込凹所２８は、バックガード端部パッド２４のバックガード３側の一側面に形成した凹部２９と、凹部２９の底部に形成した奥溝３０とで構成している。またバックガード端部パッド２４をバックガード３側から順に凹部２９を形成した部分と奥溝３０を形成した部分と側面を構成した部分の３つに区分すると、各部においては側断面が左右方向に亘って同じとなっている。
【００２０】
凹部２９は、カウンタ部２とバックガード３からなる側面視Ｌ字状のカウンタ１の後部において側板１３よりも内側の部分を収納する部分であり、側面視で略矩形状をし、前面側はバックガード３の前面から開口している。凹部２９の後側内面の上下方向の中央部からは前方に向けて側面視略矩形状の係止部３１を突出している。またこれにより係止部３１の下方に補強材嵌込部３２を形成している。ここで凹部２９において上側内面の後端部をバックガード上当部３３とする。また凹部２９において、カウンタ１の逆Ｌ字状部１０を収納する部分を収納部３４（即ち凹部２９において側面視で後述の縦溝部３７の前方部分と重複する部分）とすると、該収納部３４の前側はバックガード通過用空所３５を介してバックガード端部パッド２４の前面に開口している。
【００２１】
奥溝３０はバックガード端部パッド２４の前面から後方に伸びる横溝部３６と、横溝部３６の後端部から上方に伸びる縦溝部３７とからなる側面視Ｌ字状の溝であり、その溝深さはバックガード端面部１８を構成する側板１３の厚みと略同じ寸法となっている。ここで横溝部３６の下側内面、上側内面、後側内面の夫々をカウンタ端面下当部３８、カウンタ端面上当部３９、カウンタ端面後当部４０とし、また縦溝部３７の前側内面、上側内面、後側内面の夫々をバックガード端面前当部４１、バックガード端面上当部４２（図２参照）、バックガード端面後当部４３とし、また横溝部３６の底面をカウンタ端面当部４４、縦溝部３７の底面をバックガード端面当部４５としている。
【００２２】
上記左右各バックガード端部パッド２４は図１０に示すような適宜箇所に切欠や折目を設けた矩形状の段ボールからなるパッド形成部材５０から形成する。
【００２３】
図１０に示すパッド形成部材５０は、共に横長長方形状の左用と右用のパッド形成部５１を備え、長辺を境に上下に隣接する両パッド形成部５１をこの境界線５２で切断して切り離し、これにより左用のパッド形成部５１からなる左用のパッド材５３及び右用のパッド形成部５１からなる右用パッド材５３を形成し、各パッド材５３から左用及び右用のバックガード端部パッド２４を形成できるものである。
【００２４】
左用及び右用のパッド形成部５１は境界線５２を境に対称である。各パッド形成部５１からなるパッド材５３は、長手方向の端から順に、全て矩形状の片である、奥溝形成片５５、側面形成片５６、後面形成片５７、第一凹部形成片５８、第二凹部形成片５９、第三凹部形成片６０、折返代片６１、第四凹部形成片６２、第五凹部形成片６３、第六凹部形成片６４、第七凹部形成片６５を備え、夫々を上下に延びる折曲線６６を介して接続している。なお図１０の破線で示す折曲線６６は全て紙面表側が内側となるように谷折りされるものであり、このうち両端の折曲線６６は折り返される折返線６６ａであり、それ以外の折曲線６６は垂直に折り曲げられる垂直折曲線６６ｂである。また任意の折曲線６６には折曲を容易にするために切溝６７を設けたり折癖をつけたりしている。
【００２５】
各パッド材５３の奥溝形成片５５には奥溝３０と同大Ｌ字状の奥溝形成用切欠６８を形成している。また第一〜第三凹部形成片５８〜６０に亘って凹部形成用第一切欠６９を形成し、第四〜第六凹部形成片６２〜６４に亘って凹部形成用第二切欠７０を形成し、第七凹部形成片６５に凹部形成用第三切欠７１を形成している。凹部形成用第一切欠６９及び凹部形成用第二切欠７０はパッド材５３の長手方向に長い大略長方形状で左右対称であり、その両側の端縁の中央からは係止部形成片７２を突出している。凹部形成用第三切欠７１はパッド材５３の端縁から開口する大略矩形状であり、第六凹部形成片６４側の端縁の中央からは係止部形成片７２を突出している。
【００２６】
しかして上記各パッド材５３でバックガード端部パッド２４を形成する場合は、各折曲線６６を前述したように谷折りして折り曲げると共に、適宜箇所をテープや接着剤で接着する。即ち、後面形成片５７に対して垂直に谷折りされる側面形成片５６側においては、側面形成片５６の内側に奥溝形成片５５を折り返し、また後面形成片５７に対して垂直に谷折りされる第一凹部形成片５８側においては、第七凹部形成片６５、第六凹部形成片６４、第五凹部形成片６３、第四凹部形成片６２、折返代片６１、第三凹部形成片６０、第二凹部形成片５９、第一凹部形成片５８と順次渦巻状に折り曲げ、またこの奥溝形成片５５と第三凹部形成片６０を対向させ、この状態で接着する。つまりこの場合、第二凹部形成片５９及び折返代片６１及び第五凹部形成片６３の夫々は折り返し代となる。
【００２７】
このように組立形成されたバックガード端部パッド２４にあっては、左右幅方向において、側面形成片５６、奥溝形成片５５、第三凹部形成片６０、第六凹部形成片６４、第七凹部形成片６５、第四凹部形成片６２、第一凹部形成片５８が順次積層した状態となり、側面が側面形成片５６と第一凹部形成片５８で形成され、後面が後面形成片５７で形成される。また、凹部形成用第一切欠６９の折返代片６１側の半部、凹部形成用第二切欠７０の第七凹部形成片６５側の半部、凹部形成用第三切欠７１、凹部形成用第二切欠７０の折返代片６１側の半部、凹部形成用第一切欠６９の後面形成片５７側の半部が順次重複し、これら凹部形成用第一〜第三切欠６９〜７１で凹部２９が形成され、同時に凹部形成用第一〜第三切欠６９〜７１の各係止部形成片７２が重複して、これら各係止部形成片７２で係止部３１が形成される。また奥溝形成用切欠６８で奥溝３０の側面が形成され、側面形成片５６で奥溝３０の底面が形成される。
【００２８】
そして上記のように形成された各バックガード端部パッド２４のバックガード３への取付けはバックガード３の側端部の後側から前方に押し込む等して行われる。これにより横溝部３６のカウンタ端面下当部３８、カウンタ端面上当部３９、カウンタ端面後当部４０の夫々に、カウンタ部２の後部の端面部（即ち側板１３のカウンタ端面構成部１４の後部）の下縁、上縁、後縁が近接し、且つ縦溝部３７のバックガード端面前当部４１、バックガード端面上当部４２、バックガード端面後当部４３の夫々に、バックガード端面部１８の前縁、上縁、後縁が近接し、且つカウンタ端面当部４４にカウンタ端面部１５が近接し、バックガード端面当部４５にバックガード端面部１８が近接し、この状態で、奥溝３０にカウンタ端面部１５の後部及びバックガード端面部１８が嵌め込まれる。同時に凹部２９のバックガード上当部３３に逆Ｌ字状部１０の上面（即ち横片部９の上面）が近接し、この状態で凹部２９にカウンタ面部５及び逆Ｌ字状部１０が収納される。同時に凹部２９の後側内面から前方に突出した係止部３１がバックガード３の空所１７に収納されてバックガード端面部１８の内側面に係止され、また補強材１２の後端部が補強材嵌込部３２に嵌め込まれる。なお上記の説明で用いた「近接」とは「当接」又は「接近」を意味する。
【００２９】
このようにバックガード端部パッド２４の係止部３１をバックガード３の側端面を構成するバックガード端面部１８の内側面に係止したので、バックガード３の側端部に取付けたバックガード端部パッド２４が外側に外れることを防止できる。また本例ではバックガード端部パッド２４の凹部２９においてカウンタ１の逆Ｌ字状部１０を収納する収納部３４の前側をバックガード通過用空所３５を介してバックガード端部パッド２４の前面に開口させたので、上記したようにバックガード端部パッド２４をバックガード３の側端部に後方から嵌め込む場合等に、バックガード通過用空所３５にバックガード３を通過させることができ、バックガード端部パッド２４をバックガード３に容易に取付けることができる。
【００３０】
次に上記とは異なる実施形態を以下に示す。なお上記実施形態と同一の構成については同一の番号を付与し、重複する説明は省略する。
【００３１】
図１３及び図１４に示すように本実施形態のカウンタ１は、縦片部８と横片部９で構成される逆Ｌ字状部１０の両側の端部にブロック状の木材からなる補強部材７５を設けてあり、該補強部材７５はその側面をカウンタ本体４の側端面と面一として横片部９と補強材１２の後端部の間に嵌め込まれている。そして本実施形態のカウンタ１ではバックガード３の各側端面を構成するバックガード端面部１８を側板１３と前記補強部材７５とで構成している。
【００３２】
上記バックガード３の両側の端部に取付けられる各バックガード端部パッド２４としては図１５に示すものを用いる。各バックガード端部パッド２４は奥溝３０の深さを補強部材７５と側板１３からなるバックガード端面部１８の厚みと略同じ寸法とし、バックガード３の側端部に嵌め込んだ状態で、係止部３１をバックガード端面部１８の内側面を構成する補強部材７５の内側面に係止するものである。
【００３３】
上記左右各バックガード端部パッド２４は図１６に示すような適宜箇所に切欠や折目を設けた矩形状の段ボールからなるパッド形成部材７７から形成する。
【００３４】
パッド形成部材７７は、共に横長長方形状の左用と右用のパッド形成部７８を備え、長辺を境に上下に隣接する両パッド形成部７８をこの境界線９６で切断して切り離し、これにより左用のパッド形成部７８からなる左用のパッド材７９及び右用のパッド形成部７８からなる右用のパッド材７９を形成し、各パッド材７９から上記図１６に示すバックガード端部パッド２４を形成できるものである。
【００３５】
左用と右用のパッド材７９は境界線９６を境に対称である。各パッド材７９は、長手方向の端から順に、全て矩形状の片である、第一奥溝形成片８０、第二奥溝形成片８１、第三奥溝形成片８２、第一折返代片８３、第四奥溝形成片８４、第五奥溝形成片８５、側面形成片８６、後面形成片８７、第一凹部形成片８８、第二凹部形成片８９、第六奥溝形成片９０、第二折返代片９１、第三凹部形成片９２、第四凹部形成片９３、第七奥溝形成片９４を備え、夫々を上下に延びる折曲線９５を介して接続してある。なお図１６の破線で示す折曲線９５は全て紙面表側が内側となるように垂直に谷折りされるものである。また任意の折曲線９５には折曲を容易にするために折癖をつけたりしている。
【００３６】
上記各パッド材７９の後面形成片８７よりも第一奥溝形成片８０側の部分においては、第一〜第三奥溝形成片８０〜８２に亘って略コ字状の奥溝形成用第一切欠１００を形成している。また第二奥溝形成片８１には上下に伸びる縦切溝１０１を形成してあり、縦切溝１０１の下端は奥溝形成用第一切欠１００に至っている。縦切溝１０１の上端からは両側に向けて横切溝１０２を延設し、各横切溝１０２の端は第一奥溝形成片８０及び第三奥溝形成片８２の夫々に至っている。ここで第二奥溝形成片８１において各横切溝１０２と奥溝形成用第一切欠１００の間の部分を第一嵌込片１０３とする。また第一折返代片８３には縦長の第一差込溝１０４を形成してあり、該第一差込溝１０４の両側縁は第一折返代片８３の両側縁上に位置している。また第四奥溝形成片８４には奥溝３０と同大Ｌ字状の奥溝形成用第二切欠１０５を形成している。また第五奥溝形成片８５には奥溝形成用第二切欠１０５の横辺の端部を側面形成片８６側に延出してなる奥溝形成用第三切欠１０６を形成してあり、該奥溝形成用第三切欠１０６の奥溝形成用第二切欠１０５側とは反対側の端縁が第五奥溝形成片８５の側面形成片８６側の縁上に位置している。さらに第五奥溝形成片８５には奥溝形成用第三切欠１０６を上方に延設してなる縦溝状の第一切欠部１０７を形成してあり、奥溝形成用第二切欠１０５、奥溝形成用第三切欠１０６、第一切欠部１０７の全体で略コ字状をしている。
【００３７】
また各パッド材７９の後面形成片８７よりも第七奥溝形成片９４側の部分においては、第一凹部形成片８８及び第二凹部形成片８９に亘って大略矩形状の凹部形成用第一切欠９９を形成している。凹部形成用第一切欠９９の後面形成片８７側の端縁の中央からは係止部形成片１１３を突出している。また第六奥溝形成片９０には奥溝３０と同大Ｌ字状の奥溝形成用第四切欠１０８を形成している。また第二凹部形成片８９には奥溝形成用第四切欠１０８の横辺の端部を第一凹部形成片８８側に延設してなる奥溝形成用第五切欠１０９を形成してあり、該奥溝形成用第五切欠１０９の第一凹部形成片８８側の端部は凹部形成用第一切欠９９の下端部に連続している。また第二凹部形成片８９には奥溝形成用第五切欠１０９を上方に延設してなる第二切欠部１１０を形成してあり、凹部形成用第一切欠９９、第二切欠部１１０、奥溝形成用第五切欠１０９、全体で大略矩形状をし、これに奥溝形成用第四切欠１０８を合わせて全体で大略コ字状をしている。また第二折返代片９１には縦長の第二差込溝１１１を形成してあり、該第二差込溝１１１の両側縁は第二折返代片９１の両側縁上に位置している。また第三凹部形成片９２及び第四凹部形成片９３に亘って大略矩形状の凹部形成用第二切欠１１２を形成している。凹部形成用第二切欠１１２の第二折返代片９１側の端縁の中央からは係止部形成片１１３を突出している。また第七奥溝形成片９４には奥溝３０と同大Ｌ字状の奥溝形成用第六切欠１１４を形成してあり、奥溝形成用第六切欠１１４の横辺の端部は凹部形成用第二切欠１１２の下端部に連続し、全体で大略コ字状をしている。さらに第四凹部形成片９３には凹部形成用第二切欠１１２の上縁から第七奥溝形成片９４側に向けて横切溝１１５を形成してあり、該横切溝１１５の端は第七奥溝形成片９４に至っている。ここで第四凹部形成片９３において横切溝１１５と奥溝形成用第六切欠１１４との間の部分を第二嵌込片１１６とする。
【００３８】
また各パッド材７９の長手方向の両側縁の中央部からは差込片１１７を突出している。
【００３９】
しかして上記各パッド材７９でバックガード端部パッド２４を形成する場合は、各折曲線９５を前述したように谷折りして折り曲げると共に、適宜箇所をテープや接着剤で接着する。
【００４０】
即ち図１６の各パッド材７９でバックガード端部パッド２４を形成する場合は、後面形成片８７に対して垂直に谷折りされる側面形成片８６側においては、第一奥溝形成片８０、第二奥溝形成片８１、第三奥溝形成片８２、第一折返代片８３、第四奥溝形成片８４、第五奥溝形成片８５、側面形成片８６を順次渦巻状に折り曲げ、また後面形成片８７に対して垂直に谷折りされる第一凹部形成片８８側においては、第七奥溝形成片９４、第四凹部形成片９３、第三凹部形成片９２、第二折返代片９１、第六奥溝形成片９０、第二凹部形成片８９、第一凹部形成片８８を順次渦巻状に折り曲げ、またこの第四奥溝形成片８４と第六奥溝形成片９０を対向させ、この状態で接着する。つまり、この場合、第二奥溝形成片８１、第一折返代片８３、第五奥溝形成片８５と、第二凹部形成片８９、第二折返代片９１、第四凹部形成片９３の夫々は折り返し代となる。
【００４１】
このように組立形成されたバックガード端部パッド２４にあっては、左右幅方向において、側面形成片８６、第三奥溝形成片８２、第一奥溝形成片８０、第四奥溝形成片８４、第六奥溝形成片９０、第七奥溝形成片９４、第三凹部形成片９２、第一凹部形成片８８が順次積層した状態となり、側面が側面形成片８６と第一凹部形成片８８で形成され、後面が後面形成片８７で形成される。また、凹部形成用第一切欠９９と凹部形成用第二切欠１１２とが重複し、これら凹部形成用第一切欠９９及び凹部形成用第二切欠１１２で凹部２９が形成され、同時に凹部形成用第一切欠９９及び凹部形成用第二切欠１１２の各係止部形成片１１３が重複して、これら各係止部形成片１１３で係止部３１が形成される。また奥溝形成用第一切欠１００の第三奥溝形成片側の半部、奥溝形成用第一切欠１００の第一奥溝形成片８０側の半部、奥溝形成用第二切欠１０５、奥溝形成用第四切欠１０８、奥溝形成用第六切欠１１４が順次重複し、これらと連通する奥溝形成用第三切欠１０６及び奥溝形成用第五切欠１０９で奥溝３０の側面が形成され、また側面形成片８６で奥溝３０の底面が形成される。また、各差込片１１７が第一差込溝１０４及び第二差込溝１１１の夫々に差し込まれ、同時に各第一嵌込片１０３が第一切欠部１０７に嵌め込まれ、第二嵌込片１１６が第二切欠部１１０に嵌め込まれる。
【００４２】
以上説明したように本発明の取付構造はバックガード端面部１８を側板１３と補強部材７５で構成したカウンタ１においても適用できる。
【００４３】
なお上記いずれの実施形態でもカウンタ１を平面視直線状（Ｉ型）のシステムキッチンの天板を構成するものとしたが、平面視Ｌ字状（Ｌ型）のシステムキッチンの天板を構成するものとしても良い。また平面視直線状の一つのカウンタ１でシステムキッチンの天板を構成したが、例えば平面視Ｌ字状のシステムキッチンの天板を構成する場合に平面視直線状の２枚のカウンタ１を組み合わせる等、複数のカウンタ１でシステムキッチンの天板を構成しても良く、この場合は本発明の取付構造を各カウンタ１に適用する。また本実施形態ではカウンタ１の両側の端部にバックガード端部パッド２４を取付けたが、例えば前記平面視直線状の２枚のカウンタを組み合わせて平面視Ｌ字状のシステムキッチンの天板を構成する場合等のように、カウンタの片側のみにバックガード端面部を設ける場合には、このカウンタのバックガード端面部を設けた側のみに上記本発明の取付構造を適用していも良い。
【００４４】
またパッド形成部材５０、７７は、左用のパッド形成部５１、７８及び右用のパッド形成部５１、７８からなる組を一組備えたものだが、複数組備えたものであっても良い。また図１６のように左用のパッド材５３、７９と右用のパッド材５３、７９を区別するためにいずれか一方に孔等の目印７６を設けても良いものとする。
【００４５】
また図９のバックガード端部パッド２４は、一枚分の側面形成片５６の厚み、即ち段ボール１枚分の厚みを有する側面部と、一枚分の奥溝形成片５５、即ち段ボール１枚分の厚みを有する奥溝３０と、５枚分の凹部形成片の厚み、即ち段ボール５枚分の厚みを有する凹部２９とを備えたものであり、また図１５のバックガード端部パッド２４は、一枚分の側面形成片８６の厚み、即ち段ボール１枚分の厚みを有する側面部と、５枚分の奥溝形成片の厚み、即ち段ボール５枚分の厚みを有する奥溝３０と、２枚分の凹部形成片の厚み、即ち段ボール２枚分の厚みを有する凹部２９を備えたものであるが、バックガード端面部１８の厚み等の変化に対応するために、各パッド材５３が備える側面形成片、奥溝形成片、凹部形成片の夫々の枚数を適宜決定し、これによりバックガード端部パッド２４の側面部の厚み、奥溝３０の深さ、凹部２９の深さを変化させても良く、つまりパッド材の備える側面形成片、奥溝形成片、凹部形成片の枚数はいずれも１又は複数であれば良い。また図示は省略するが、バックガード端部パッド２４をバックガード３側から凹部２９を形成した部分、奥溝３０を形成した部分、側面を構成した部分の各部の断面形状と同じ断面形状を有する段ボール材を形成し、これら各部の段ボール材を任意の枚数重ね合わせてバックガード端部パッド２４を形成しても良く、この場合は使用する段ボール材の枚数により側面部の厚み、奥溝３０の深さ、凹部２９の深さを変化できる。
【図面の簡単な説明】
【００４６】
【図１】本発明の実施の形態の一例を示し、梱包前の分解斜視図である。
【図２】同上のバックガード端部パッドの取付構造を示す要部側断面図である。
【図３】同上の正面側から見た断面図である。
【図４】図２のＡ−Ａ断面図である。
【図５】図２のＢ−Ｂ断面図である。
【図６】同上のカウンタであり、（ａ）は平面図、（ｂ）は正面図である。
【図７】同上のカウンタの側端部を示す斜視図である。
【図８】同上のカウンタを梱包した状態を示す斜視図である。
【図９】同上のバックガード端部パッドを示す斜視図である。
【図１０】同上のバックガード端部パッドを形成するパッド形成部材の平面図である。
【図１１】同上のカウンタから側板を取り外した状態を示す斜視図である。
【図１２】同上のカウンタに端部パッドを取付けた状態を示す斜視図である。
【図１３】他例のカウンタの側端部を示す斜視図である。
【図１４】同上のカウンタから側板を取り外した状態を示す斜視図である。
【図１５】同上のバックガード端部パッドを示す斜視図である。
【図１６】同上のバックガード端部パッドを形成するパッド形成部材の平面図である。
【符号の説明】
【００４７】
１  カウンタ
２  カウンタ部
３  バックガード
８  縦片部
９  横片部
１０  逆Ｌ字状部
１８  バックガード端面部
２４  バックガード端部パッド
２８  嵌込凹所
２９  凹部
３０  奥溝
３１  係止部
３４  収納部
３５  バックガード通過用空所
３６  横溝部
３７  縦溝部
【図１】
0004706557.tif 000002
【図２】
0004706557.tif 000003
【図３】
0004706557.tif 000004
【図４】
0004706557.tif 000005
【図５】
0004706557.tif 000006
【図６】
0004706557.tif 000007
【図７】
0004706557.tif 000008
【図８】
0004706557.tif 000009
【図９】
0004706557.tif 000010
【図１０】
0004706557.tif 000011
【図１１】
0004706557.tif 000012
【図１２】
0004706557.tif 000013
【図１３】
0004706557.tif 000014
【図１４】
0004706557.tif 000015
【図１５】
0004706557.tif 000016
【図１６】
0004706557.tif 000017